(57)【特許請求の範囲】
【請求項１】
被写体を撮像する撮像部と、前記被写体に照射光を照射する照射部とを備える、ネットワーク経由で通信する撮像装置であって、
前記ネットワーク経由で端末装置からコマンドを受信するための受信手段と、
前記照射部から照射する照射光の強度を制御する制御手段と、
前記照射光の照射画角を変更する変更手段と、
を備え、
前記コマンドには前記変更手段を制御するための制御コマンドを含み、
前記制御手段は、前記受信手段で前記制御コマンドを受信した場合に、前記強度を所定の強度以下に制限する
ことを特徴とする撮像装置。
【請求項２】
前記撮像部が撮像する露出を設定する露出設定手段を更に備え、
前記露出設定手段は、前記制御手段が前記強度を所定の強度以下に制限した場合に、露出をあげる設定を行う
ことを特徴とする請求項１に記載の撮像装置。
【請求項３】
前記変更手段は前記撮像部の撮像画角をパン又はチルト方向に変更する画角変更手段を含み、
前記変更手段は前記画角変更手段による撮像画角の変更に応じて照射画角を変更する
ことを特徴とする請求項１乃至２のいずれか１項に記載の撮像装置。
【請求項４】
前記照射部は赤外線を照射する赤外線光源を含む
ことを特徴とする請求項１乃至３のいずれか１項に記載の撮像装置。
【請求項５】
前記制御手段は前記照射部が照射する光源を選択する選択手段を含み、
前記制御手段は、前記赤外線光源を選択し、且つ前記受信手段で前記制御コマンドを受信した場合に、前記強度を制限する
ことを特徴とする請求項４に記載の撮像装置。
【請求項６】
前記照射部から照射する照射光の強度が所定量以上である場合に、前記制御手段は前記強度の制限を行う
ことを特徴とする請求項１乃至５のいずれか１項に記載の撮像装置。
【請求項７】
前記制御コマンドによる前記変更手段が変更する照射画角の変更量が所定量以上の場合に、前記制御手段は前記強度の制限を行う
ことを特徴とする請求項１乃至５のいずれか１項に記載の撮像装置。
【請求項８】
前記制御コマンドに基づく動作が終了したか否かを判定する判定手段を更に備え、
前記制御手段は、前記判定手段によって前記動作が終了したと判定された場合に前記制限を解除する
ことを特徴とする請求項１乃至７のいずれか１項に記載の撮像装置。
【請求項９】
被写体を撮像する撮像部と、前記被写体に照射光を照射する照射部と、前記照射光の照射画角を変更する変更部とを備える、撮像装置とネットワーク経由で通信する端末装置であって、
前記撮像装置を制御するための操作手段と、
前記操作手段の操作結果を含むコマンドを前記ネットワーク経由で撮像装置に送信するための送信手段と、
前記撮像装置の状態を表示するための表示手段と、
を備え、
前記コマンドには前記変更部を制御するための制御コマンドを含み、
前記表示手段は、前記送信手段で前記制御コマンドを送信した場合に、前記照射部が照射する強度を所定の強度以下に制限する警告を表示する
ことを特徴とする端末装置。
【請求項１０】
被写体を撮像する撮像部と、前記被写体に照射光を照射する照射部と、前記照射光の照射画角を変更する変更部とを備える、ネットワーク経由で通信する撮像装置の制御方法であって、
前記ネットワーク経由で端末装置からコマンドを受信するための受信ステップと、
前記照射部のから照射する照射光の強度を制御する第一の制御ステップと、
を備え、
前記コマンドには前記変更部を制御するための制御コマンドを含み、
前記制御ステップにおいて、前記受信ステップで前記制御コマンドを受信した場合に、前記強度を所定の強度以下に制限する
ことを特徴とする撮像装置の制御方法。
【請求項１１】
前記制御コマンドに基づく動作が終了したか否かを判定する判定ステップと、
前記判定ステップによって前記動作が終了したと判定された場合に前記制限を解除する第二の制御ステップを備える
ことを特徴とする請求項１０に記載の撮像装置の制御方法。
【発明の詳細な説明】
【技術分野】
【０００１】
本発明は、撮像装置に関し、特に照明装置を備える撮像装置に関するものである。
【背景技術】
【０００２】
従来、夜間や暗所等における低照度の被写体を照らすための照明を備える撮像装置が知られているが、被写体に人物が含まれる場合には、人体への影響も考慮して照明強度を制御する必要がある。このような場合に、撮影範囲や人物の有無により照明強度を制御する撮像装置として、例えば、特許文献１では、撮影画角、範囲に応じて照明の配光特性を変更する方法が開示されている。また、特許文献２では、人物などの被写体が検出されたら照明の強度を変更する方法が開示されている。
【先行技術文献】
【特許文献】
【０００３】
【特許文献１】特開２００５−０９４０８０号公報
【特許文献２】特開２０１２−１１９８４０号公報
【発明の概要】
【発明が解決しようとする課題】
【０００４】
しかしながら、上述の従来技術では、撮影された画像から人物を検出して照明強度を変更するものなので、検出から照明強度を変更する期間においては、適切に照明強度を制御することができない場合があった。加えて、照明装置に可視光領域外の波長の光を照射可能な光源を用いる場合には、照射された人物は自分に光が照射されていることに気がつかずに、一定以上の光量を長時間直視してしまう場合もあった。
【０００５】
そこで、本発明の目的は、照射される照明強度を適切に制御し、且つ事前に照明強度を確認した上で照明照射をすることで、被写体に人体が含まれる場合においても照明の影響を抑えて撮像する撮像装置を提供することである。
【課題を解決するための手段】
【０００６】
上記目標を達成するために、本発明は、被写体を撮像する撮像部と、前記被写体に照射光を照射する照射部とを備える、ネットワーク経由で通信する撮像装置であって、前記ネットワーク経由で端末装置からコマンドを受信するための受信手段と、前記照射部のから照射する照射光の強度を制御する制御手段と、前記照射光の照射画角を変更する変更手段と、を備え、前記コマンドには前記変更手段を制御するための制御コマンドを含み、前記制御手段は、前記受信手段で前記制御コマンドを受信した場合に、前記強度を所定の強度以下に制限することを特徴とする。
【発明の効果】
【０００７】
本発明によれば、照射される照明強度を適切に制御し、且つ事前に照明強度を確認した上で照明照射をすることで、被写体に人体が含まれる場合においても照明の影響を抑えて撮像する撮像装置を提供することが可能となる。
【図面の簡単な説明】
【０００８】
【図１】本発明の第１の実施例を説明するための図である。
【図２】第１の実施例の要部（撮像装置の操作ユーザインターフェースでの操作）を説明するための図である。
【図３】第１の実施例の要部（撮像装置の撮影、照明の制御方法）を説明するための図である。
【図４】第１の実施例の要部（ユーザによる操作時の照明強度の制限）を説明するためのフローチャートである。
【図５】本発明の第２の実施例を説明するための図である。
【図６】第２の実施例の要部（撮像装置の操作ユーザインターフェースでの操作）を説明するための図である。
【図７】第２の実施例の要部（ユーザによる操作時の照明強度の制限）を説明するためのフローチャートである。
【発明を実施するための形態】
【０００９】
以下に、本発明の好ましい実施の形態を、添付の図面に基づいて詳細に説明する。以下の実施形態のおいて示す構成は一例に過ぎず、本発明は図示された構成に限定されるものではない。
【００１０】
（実施例１）
以下、図１を参照して、本発明の第１の実施例による、撮像装置及び撮像システムに関して説明する。
【００１１】
１０１はレンズ群であり、不図示のズームレンズ群、フォーカスレンズ群、絞り機構等から構成されている。各機構は不図示のアクチュエータ等の駆動部を含み、後述するＣＰＵ１１０からの制御信号に基づいて駆動される。
【００１２】
１０２は赤外カットフィルタであり、光軸に対して赤外カットフィルタの出し入れをする機構で構成されている。赤外カットフィルタは主に赤外線を透過させず（反射させて）、可視光を透過させることが可能な誘電体多層膜である。この赤外カットフィルタを光軸に対して出し入れすることで、選択的に赤外線を受光するかを切換えることが可能となる。より詳細には、赤外カットフィルタ有りの場合には可視光成分の光のみを取りこみ、赤外カットフィルタ無しの場合には可視光成分＋赤外成分の光を取り込む。１０３は赤外フィルタ制御回路であり、後述するＣＰＵ１１０からの制御信号に基づいて赤外カットフィルタの出し入れの制御を行う。
【００１３】
１０４は撮像素子であり、レンズ群１０１を介して撮像素子面に結像された光学像を電気信号に変換する。そして、増幅器１０５は撮像素子１０４から出力される電気信号を所定の信号レベルに増幅する。撮像素子１０４の駆動は不図示のタイミングジェネレータからの信号で駆動し、出力信号のタイミングに合わせてサンプリングし、アナログ−デジタル信号変換を行い、出力される。なお、撮像素子１０４は赤外領域においても感度を有し、可視光成分に加えて赤外成分の光を受光することによって、出力信号量を増加させることが可能となる。なお、レンズ群１０１、赤外カットフィルタ１０２、撮像素子１０４、増幅器１０５を含む被写体を撮像するため各構成要素は、本実施例における撮像部に相当する。
【００１４】
１０６は赤外照明であり、赤外領域に分光分布を持つ赤外線光源を含む照明で構成される。例えば低照度な夜間等において、赤外照明を点灯し照射光を照射することで、人の目には照明が点灯している事が認識されない状態で照明点灯することで、明るく撮影することが可能となる。１０７は赤外照明制御回路であり、後述するＣＰＵ１１０からの制御信号に基づいて照明のＯＮ／ＯＦＦ制御、明るさ（強度）の制御を行う。なお、赤外照明１０６は赤外線を照射する光源のみに限定されず、可視光又は紫外光を照射可能な光源を含むようにしてもよい。なお、本実施例において、赤外照明１０６は被写体に照射光を照射する照射部に相当する。
【００１５】
１００はパンチルト回路（以下、ＰＴ回路と称する場合が有る）であり、レンズ群１０１、赤外照明１０６等の方向をパン方向又はチルト方向に変更する。より具体的には、各構成要素を指示する雲台であって、指示する軸を中心にアクチュエータ等を用いてパン方向またはチルト方向に可能に構成されている。なお、本実施例において、ＰＴ回路１００は、撮像部の画角をパン又はチルト方向に変更する画角変更部に相当する。
【００１６】
１０８は映像処理回路であり、各種映像処理を行う。撮像素子１０４からの映像信号に対してゲイン処理、信号現像処理、カラーバランス処理、ガンマ処理、ノイズ低減処理といった処理を行い、画像信号へと変換する。
【００１７】
１０９はネットワーク処理回路であり、映像処理回路１０８からの出力を通信プロトコルに準拠したフォーマットに変換した上で、ネットワーク上へと配信する。また、撮像装置を制御する為の制御信号を通信プロトコルに準拠して送受信を行う。
【００１８】
１１０はＣＰＵであり、映像処理回路１０８、ネットワーク処理回路１０９の制御を行う。合わせて赤外フィルタ制御回路１０３、赤外照明制御回路１０７の制御も行う。また、不図示のデータ記憶部メモリを含み、これに記憶されたプログラムをＣＰＵ１１０は実行する。なお、メモリは、ＣＰＵ１１０が実行するプログラム格納領域、プログラム実行中のワーク領域、データの格納領域等として使用される。加えて、メモリはＣＰＵ１１０が各構成要素の制御に用いる設定情報である各種パラメータを保持する。また、不図示の計時部を含み任意のタイミングで所定の期間の計測等を行うことができる。
【００１９】
１１１は上記１０１〜１１０により構成され、所定の画角を有し被写体を撮像する撮像装置の一例であり、例えば動画像を撮像する監視カメラである。より詳細には、監視に用いられるネットワークカメラであるものとする。
【００２０】
１１２はネットワーク上のローカルエリアネットワーク（ＬＡＮ）である。撮像装置１１１とはＬＡＮケーブルにより接続され、Ｅｔｈｅｒｎｅｔ（登録商標）等の通信規格を満足するルータ、スイッチ、ケーブル等から構成される。このＬＡＮ上に複数のカメラ装置や、後述するＰＣ等が接続される。例えば、ＬＡＮ１１２は、インターネットや有線ＬＡＮ（Ｌｏｃａｌ  Ａｒｅａ  Ｎｅｔｗｏｒｋ）、無線ＬＡＮ（Ｗｉｒｅｌｅｓｓ  ＬＡＮ）、ＷＡＮ（Ｗｉｄｅ  Ａｒｅａ  Ｎｅｔｗｏｒｋ）等により構成されていても良い。なお、本実施形態における撮像装置１１１は、例えば、ＰｏＥ（Ｐｏｗｅｒ  Ｏｖｅｒ  Ｅｔｈｅｒｎｅｔ（登録商標））に対応していても良く、ＬＡＮケーブルを介して電力を供給されても良い。
【００２１】
１１３はクライアント端末装置であり、ＰＣ等の外部装置の一例である。クライアント端末装置１１３には、所定のファイルやプログラムを格納するためのメモリと、それらを実行するＣＰＵを備えている。さらに、メモリに記憶された画像等を表示するディスプレイ（表示部）と、クライアント端末装置１１３を操作するユーザの指示を受け付ける入力部を備えている。また、クライアント端末装置１１３は、不図示の通信部を用いてＬＡＮ１１２を介してネットワーク経由で撮像装置１１１と相互に通信可能な状態に接続されている。クライアント端末１１３は後述する制御ツールを用いて、撮像装置１１１からの映像を受信、表示、録画し、撮像装置１１１をコントロールするための制御情報を送受信することで各種制御を行う。
【００２２】
ここで、制御情報は撮像装置１１１での撮影制御、照射制御等を行う為のコマンドやパラメータが含まれる。クライアント端末装置１１３は、上記入力部から入力された操作結果であるユーザ指示に応じた制御コマンド送信することで、撮像装置１１１を外部より操作することが可能である。また、送信した制御コマンドに対応するレスポンスを撮像装置１１１でのより受け取ることで、撮像装置１１１が保持するパラメータや状態を知ることが可能となる。
【００２３】
ここで、本実施形態における撮像装置１１１とクライアント端末装置１１３からなる監視システムは、撮像システムに相当する。
【００２４】
次に、撮像装置を操作するための操作ＵＩに関して図２及び図３を用いて説明する。
【００２５】
２０１はクライアント端末装置１１３の表示部上に表示される操作ＵＩ（ユーザインターフェース）である。マウスやタッチパネル等の入力部を用いて操作ＵＩを操作することで、撮像装置１１１での撮影画像の確認、録画を行い、カメラ装置の動作、設定を行ことが可能となる。
【００２６】
２０２はカメラ表示画面となり、撮像装置１１１で撮影され、ネットワーク１１２経由で受信した映像や、クライアント端末装置１１３又はネットワーク上のストレージに保存され映像が表示される。
【００２７】
２０３はパン／チルト制御ボタンとなり、撮像装置１１１の撮影方向を変更する不図示のパンニング、チルティング方向への駆動を行う。パンニング／チルティング方向を変更した場合の動作に関しては図３を用いて説明する。
【００２８】
図３において、撮像装置１１１を用いて被写体３０１を撮像する場合を想定する。実線で示した撮像画角３０２の範囲は、３０４に示したようにパンニング又はチルティング方向に依存して変更される。撮像画角３０２内に被写体３０１をとらえることによって、被写体３０１を撮像することが可能となる。また、点線で示したのは赤外照明１０６での照射画角３０３であり、撮像画角３０２と略一致する方向で取り付けられている。そして、照射画角３０３も撮像画角３０２と同様にパンニング又はチルティング方向に依存して変更される。すなわち、撮像画角３０２を変化させることによって、照射画角３０３を変化させることができる。
【００２９】
図２の説明に戻る。２０４はカメラ制御ボタンとなり、撮像装置１１１のカメラ制御を変更するボタンから構成される。ズームボタンではカメラ画角を変更し、ＷＩＤＥ（広角）−ＴＥＬＥ（望遠）の変更が可能となる。フォーカスボタンではカメラのピントを変更し、ＮＥＡＲ（近距離）−ＦＡＲ（遠距離）の変更が可能となる。露出ボタンではカメラの露出を変更し、画面の明−暗の設定変更が可能となる。露出の制御ではレンズの絞り径の変更、センサ露出によるシャッタースピードの変更、センサ信号のゲイン変更から構成される。露出変更を行うと図３の３０５のように撮像する露出が変更される。
【００３０】
２０５は赤外照明の制御ボタンとなり、カメラ装置の赤外照明の変更が可能となる。パンニング／チルティング方向の変更や露出の変更といったカメラ操作が行われことは、撮影シチュエーションが変更されることになり、撮影被写体が変更される。被写体が変更されることは、撮影範囲に人物が入る可能性があり、人物に対する安全を考慮する意味で赤外照明を制限する。また、現状の赤外照明の点灯するためのモードの表示を含む。具体的には通常モードと照明低減モードを示すインジケータがあり、現状のモードに対応した、インジケータが点灯するように設定されている。ＣＰＵ１１０は、クライアント端末装置１１３からの要求に応じて、又はモード切り替え時等にコマンドを発行し、現状のモードをクライアント端末装置１１３に通知する。クライアント端末装置１１３は通知されたコマンドに基づいて、撮像装置１１１におけるモードを判定し、対応する操作ＵＩ２０１を変更する。なお、各モードの詳細は図４にて詳述する。
【００３１】
ここで、操作ＵＩ２０１の各操作ボタンを操作した場合、クライアント端末装置１１３は、各操作ボタンに対応したコマンドまたはパラメータをネットワーク１１２経由で撮像装置１１１に送信する。ＣＰＵ１１０は、この受信したコマンドに基づいて各要素の制御を行うこととなる。
【００３２】
次に、カメラ操作が行われる際に、照明強度を低減する動作を図４のフローチャートを用いて説明する。なお、本フローチャートの処理はＣＰＵ１１０が実行する。
【００３３】
ステップ４０１において、ＣＰＵ１１０は、処理がスタートされると、各構成要素の制御を開始する。そして、ステップ４０２に処理を進める。
【００３４】
ステップ４０２において、ＣＰＵ１１０は、クライアント端末装置１１３上のカメラ操作ＵＩでのユーザによって操作ボタン操作されたかを判定する。操作ボタンが押されていれば、ステップ４０３に処理を進める。一方で、操作ボタンが押されていなければステップ４０９に処理を進める。ここで、ＣＰＵ１１０は、クライアント端末装置１１３からのコマンドの有無によって、ユーザの操作ボタンの操作の有無を判定する。
【００３５】
ステップ４０３において、ＣＰＵ１１０は、操作ボタンが押されていたら、ユーザによるカメラ設定が変更されていると判断して、照明低減モードへと移行する。そして、ステップ４０４に処理を進める。ここで、カメラ設定とは、パンニング、チルティング、ズーム等の撮像画角３０２を変更するための設定のほかに、露出を変更するための設定、撮像の開始・停止の設定等が含まれる。なお、本実施例において、ＣＰＵ１１０は、撮像部が撮像する露出を設定する露出設定部に相当する。
【００３６】
ステップ４０４において、ＣＰＵ１１０は、照明低減モードに移行したことによって、赤外照明制御回路１０７を制御し、赤外照明１０６の発光強度を制限する。より詳細には、赤外照明１０６に供給する電力量を低下させ、照明強度を所定の強度以下になるように制御する。そして、ステップ４０５に処理を進める。ここで、所定の強度とは、工場出荷時にメモリ等に記憶させておいてもよいし、外部より設定可能にしてもよい。また、赤外照明１０６が複数の光源を備える場合には、照明強度を下げるために、点灯する光源数を減じるように制御してもよい。また、赤外照明１０６が異なる照射画角３０３を持つ光源を複数個備える場合には、点灯させる光源の照射画角３０３に応じて、照明強度を制限する所定の強度を変更するようにしてもよい。具体的には、照射画角３０３が広い場合には、所定の強度を高くし、狭い場合には低く設定してもよい。
【００３７】
ステップ４０５において、ＣＰＵ１１０は、撮像装置１１１でのゲインをアップすることで照明強度を制限したことによる明るさ低減分を補う。そして、ステップ４０６に処理を進める。なお、ゲインアップによって明るさ低減を補うことだけでなく、絞り径を広げる、シャッタースピードを長秒にする制御であっても構わない。これによって、照明強度を制限して人体への影響は低減しつつ、そのまま撮像すると画面が暗くなってしまうことを防ぐことができる。
【００３８】
ステップ４０６において、ＣＰＵ１１０は、操作ボタンが押されたことによる動作を開始する。すなわち、操作された操作ボタンに対応するコマンドを受信し、そのコマンドによって指示された動作を開始する。そして、ステップ４０７に処理を進める。
【００３９】
ステップ４０７において、ＣＰＵ１１０は、ステップ４０６にて開始した動作が終了するまで待機する。動作が終了した場合は、ステップ４０８に処理を進める。
【００４０】
ステップ４０８において、ＣＰＵ１１０は、ステップ４０３で行った照明低減モードを解除する。すなわち、ステップ４０４で制限した照明強度、及びステップ４０５でアップしたゲイン量を元に戻す。そして、ステップ４０９に処理を進める。
【００４１】
ステップ４０９において、ＣＰＵ１１０は、全ての設定を元に戻した上で、通常モードへと移行する。そして、処理を終了する。なお、モードの移行は、クライアント端末装置１１３からのユーザ指示に基づいて行うことが好ましいが、撮像画像内の動体又は人体の有無を検出した後に自動的に通常モードに移行するようにしてもよい。
【００４２】
このように、操作ボタンが操作された場合に、照明低減モードへ移行することによって、画面確認ができない状態であっても、意図せずに被写体に含まれる人体の影響をおさせることが可能となる。
【００４３】
なお、本実施例においては、クライアント端末装置１１３の操作部が操作される例を示したが、撮像装置１１１にも設置時などに使用する操作部が存在する。このような場合に、この撮像装置１１１の操作部が操作された場合に同様の動作を行うことで、同様の効果を得ることができる。
【００４４】
なお、本実施例においては、操作ＵＩ２０１の各操作ボタンを操作した場合に関して示したが、一部の操作ボタン（例えば、カメラ制御ボタン２０４）に限定して本実施例の動作を行うようにしてもよい。
【００４５】
なお、図４におけるステップ４０３又はステップ４０９において、モードが切換る際にユーザ等への警告表示を行うようにしてもよい。より詳細には、操作ＵＩ２０１上にモードを切り替えを許可するか否かのダイアログを表示し、ユーザによって許可された場合にのみモードを切換える。このように動作させることによって、意図してモードが切換ってしまうことを防ぐことができる。
【００４６】
なお、ステップ４０２にて、操作ボタンが操作されたと判定された場合に、照射光の強度を制限する動作を行うが、これに限られない。例えば、照射光の強度が所定量よりも弱い場合は制限する動作を行う必要はない。すなわち、ステップ４０２にて、照射光の強度が所定量以上である場合に、ステップ４０３に処理を進め、照明低減モードに移行するようにしてもよい。
【００４７】
なお、ステップ４０２にて、操作ボタンが操作されたと判定された場合に、照射光の強度を制限する動作を行うが、これに限られない。例えば、操作ボタンの操作がパンニング又はチルティングの操作である場合に、撮像画角３０２の変化量が所定量よりも少ない場合は制限する動作を行う必要はない。すなわち、ステップ４０２にて撮像画角３０２（照射画角３０３）の変化量が所定量以上である場合に、ステップ４０３に処理を進め、照明低減モードに移行するようにしてもよい。
【００４８】
（実施例２）
以下、図５、６、７を参照して、本発明の第２の実施例によるユーザによる撮像動作の操作が行われたら、照明強度を制限する制御方法について説明する。第１実施例と同様の構成に関して、同一の符号を付し、その説明を省略する。第２の実施例はカメラ装置における照明制御の構成（図１〜３）は同じであるが、インジケータＬＥＤ、及び照明確認モード設定における制御が異なる。
【００４９】
図５における、５０１はインジケータＬＥＤであり、照明の照射強度を確認する照明確認モード時に点灯される。
【００５０】
図６における、６０１は照明確認モードの表示部であり、照明の照射レベルを調整する際に点灯して表示する。
【００５１】
次に、カメラ操作が行われる際に、赤外照明を低減する動作を図７のフローチャートを用いて説明する。
【００５２】
ステップ８０１において、ＣＰＵ１１０は、処理がスタートされると、各構成要素の制御を開始する。そして、ステップ８０２に処理を進める。
【００５３】
ステップ８０２において、ＣＰＵ１１０は、クライアント端末装置１１３上のカメラ操作ＵＩでのユーザによって操作ボタン操作されたかを判定する。操作ボタンが押されていれば、ステップ８０３に処理を進める。一方で、操作ボタンが押されていなければステップ８１３に処理を進める。
【００５４】
ステップ８０３において、ＣＰＵ１１０は、操作ボタンが押されていたら、ユーザによるカメラ設定が変更されていると判断して、照明低減モードへと移行する。そして、ステップ８０４に処理を進める。
【００５５】
ステップ８０４において、ＣＰＵ１１０は、照明低減モードに移行したことによって、赤外照明制御回路１０７を制御し、赤外照明１０６の発光強度を制限する。より詳細には、赤外照明１０６に供給する電力量を低下させ、照明強度を所定の強度以下になるように制御する。そして、ステップ８０５に処理を進める。
【００５６】
ステップ８０５において、ＣＰＵ１１０は、撮像装置１１１でのゲインをアップすることで照明強度を制限したことによる明るさ低減分を補う。そして、ステップ８０６に処理を進める。なお、ゲインアップによって明るさ低減を補うことだけでなく、絞り径を広げる、シャッタースピードを長秒にする制御であっても構わない。
【００５７】
ステップ８０６において、ＣＰＵ１１０は、操作ボタンが押されたことによる動作を開始する。すなわち、操作された操作ボタンに対応するコマンドを受信し、そのコマンドによって指示された動作を開始する。そして、ステップ８０７に処理を進める。
【００５８】
ステップ８０７において、ＣＰＵ１１０は、ステップ８０６にて開始した動作が終了するまで待機する。動作が終了した場合は、ステップ８０８に処理を進める。
【００５９】
ステップ８０８において、ＣＰＵ１１０は、ステップ４０３で行った照明低減モードを解除する。すなわち、ステップ８０４で制限した照明強度、及びステップ８０５でアップしたゲイン量を元に戻す。そして、ステップ８０９に処理を進める。
【００６０】
ステップ８０９において、ＣＰＵ１１０は、ステップ８０７で変更されたカメラ設定に対して、照明確認モードへと移行する。そして、ステップ８１０に処理を進める。ここで、照明確認モードとは、照明強度を確認するために一次的に照明強度の制限を解除した状態であり、クライアント端末装置１１３の表示部等に一次的に照明強度を強めている警告を表示したり、インジケータＬＥＤ５０１を点灯させたりする。これらの動作によって、ユーザ等に照明確認モード中であることを報知することができる。また、照明確認モード中は操作ＵＩ２０１において、照明確認モード用インジケータ６０１を点灯させる。
【００６１】
ステップ８１０において、ＣＰＵ１１０は、インジケータＬＥＤ５０１を点灯する。インジケータＬＥＤを点灯することでユーザに対して照明確認モードであることを案内することが可能となる。そして、ステップ８１１に処理を進める。
【００６２】
ステップ８１１において、ＣＰＵ１１０は、実際に撮影する環境での照明の強度レベルの設定を行う。本設定は、ユーザが操作ＵＩ２０１し、強度レベルを設定してもよいし、被写体輝度からＣＰＵ１１０が設定するようにしてもよい。そして、ステップ８１２に処理を進める。
【００６３】
ステップ８１２において、ＣＰＵ１１０は、照明強度を設定する照明確認モードが終了するか否かを判断する。終了していなければ、上記照明確認モードのステップを繰り返す。一方で、照明確認モードが終了したら、ステップ８１３に処理を進める。なお、モードの終了は、クライアント端末装置１１３からのユーザ指示に基づいて行うことが好ましいが、所定の時間指示がない場合等は自動的に照明低減モードに移行するようにしてもよい。
【００６４】
テップ８１３において、ＣＰＵ１１０は、全ての設定を元に戻した上で、通常モードへと移行する。そして、ステップ８１４に処理を進める。
【００６５】
ステップ８１４において、ＣＰＵ１１０は、照明確認モードでのインジケータＬＥＤを消灯する。そして、処理を終了する。
【００６６】
以上、照明の強度を制限した後に強度を復帰させる際に、確認用のモードを設けることによって、意図せずに強い照明強度が設定されることを防止することができる。
【００６７】
通常モードに移行する前に、不図示の「照明確認モードで照明強度を確認しましたか？」といったアナウンスを操作ＵＩ上に表示しても構わない。これによって、ユーザによって確実に照明強度が確認された上での監視動作を行うことが可能となる。
【００６８】
以上、本発明の好ましい実施形態について説明したが、本発明はこれらの実施形態に限定されず、その要旨の範囲内で種々の変形及び変更が可能である。
【符号の説明】
【００６９】
１０６  赤外照明
１１１  カメラ装置
１１３  クライアント端末装置
２０１  カメラ操作ＵＩ
【図１】
0006611525.tif 000002
【図２】
0006611525.tif 000003
【図３】
0006611525.tif 000004
【図４】
0006611525.tif 000005
【図５】
0006611525.tif 000006
【図６】
0006611525.tif 000007
【図７】
0006611525.tif 000008